【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
第１の電極と、
第２の電極と、
前記第１および第２の電極間に配置された光活性材料と、を有する物品であって、前記光活性材料が、第１のコモノマー繰り返し単位と、前記第１のコモノマー繰り返し単位とは異なる第２のコモノマー繰り返し単位とを含むポリマーを有し、
前記第１のコモノマー繰り返し単位が、下記式（１）
【化１】
2010507233.tif 000001
のシラシクロペンタジチオフェン部分を有し、
Ｒ１、Ｒ２、Ｒ３およびＲ４が各々個別にＨ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、ＲがＨ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルであり、
前記第２のコモノマー繰り返し単位が、式（１）のシラシクロペンタジチオフェン部分、ベンゾチアジアゾール部分、チアジアゾロキノキサリン部分、シクロペンタジチオフェン部分、酸化シクロペンタジチオフェン部分、ベンゾイソチアゾール部分、ベンゾチアゾール部分、酸化チオフェン部分、チエノチオフェン部分、酸化チエノチオフェン部分、ジチエノチオフェン部分、酸化ジチエノチオフェン部分、テトラヒドロイソインドール部分、フルオレン部分、フルオレノン部分、チアゾール部分、セレノフェン部分、シロール部分、チアゾロチアゾール部分、シクロペンタジチアゾール部分、ナフトチアジアゾール部分、チエノピラジン部分、オキサゾール部分、イミダゾール部分、ピリミジン部分、ベンゾオキサゾール部分またはベンジイミダゾール部分を有し、
前記物品が光電池として構成されている、物品。
【請求項２】
Ｒ１およびＲ２が各々個別にＣ１〜Ｃ２０アルキルである、請求項１に記載の物品。
【請求項３】
Ｒ１およびＲ２が各々ヘキシルである、請求項１に記載の物品。
【請求項４】
前記第２のコモノマー繰り返し単位が、下記の式（２）のベンゾチアジアゾール部分、式（３）のチアジアゾロキノキサリン部分、式（４）の二酸化シクロペンタジチオフェン部分、式（５）の一酸化シクロペンタジチオフェン部分、式（６）のベンゾイソチアゾール部分、式（７）のベンゾチアゾール部分、式（８）の二酸化チオフェン部分、式（９）の二酸化シクロペンタジチオフェン部分、式（１０）の四酸化シクロペンタジチオフェン部分、式（１１）のチエノチオフェン部分、式（１２）の四酸化チエノチオフェン部分、式（１３）のジチエノチオフェン部分、式（１４）の二酸化ジチエノチオフェン部分、式（１５）の四酸化ジチエノチオフェン部分、式（１６）のテトラヒドロイソインドール部分、式（１７）の二酸化チエノチオフェン部分、式（１８）の二酸化ジチエノチオフェン部分、式（１９）のフルオレン部分、式（２０）のシロール部分、式（２１）のシクロペンタジチオフェン部分、式（２２）のフルオレノン部分、式（２３）のチアゾール部分、式（２４）のセレノフェン部分、式（２５）のチアゾロチアゾール部分、式（２６）のシクロペンタジチアゾール部分、式（２７）のナフトチアジアゾール部分、式（２８）のチエノピラジン部分、式（２９）のオキサゾール部分、式（３０）のイミダゾール部分、式（３１）のピリミジン部分、式（３２）のベンゾオキサゾール部分、または式（３３）のベンジイミダゾール部分を有し、
【化２】
2010507233.tif 000002
2010507233.tif 000003
2010507233.tif 000004
ＸおよびＹが各々個別にＣＨ２、ＯまたはＳであり、
Ｒ５およびＲ６が各々個別にＨ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、ＲがＨ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルであり、
Ｒ７およびＲ８が各々個別にＨ、Ｃ１〜Ｃ２０アルキル、Ｃ１〜Ｃ２０アルコキシ、アリール、ヘテロアリール、Ｃ３〜Ｃ２０シクロアルキルまたはＣ３〜Ｃ２０ヘテロシクロアルキルである、請求項１の物品。
【請求項５】
前記第２のコモノマー繰り返し単位が、式（２）のベンゾチアジアゾール部分を有し、Ｒ５およびＲ６が各々Ｈである、請求項４に記載の物品。
【請求項６】
前記第２のコモノマー繰り返し単位が、式（２３）のチアゾール部分を有し、Ｒ５がヘキシルである、請求項４に記載の物品。
【請求項７】
前記ポリマーが、前記第１および第２のコモノマー繰り返し単位とは異なる第３のコモノマー繰り返し単位をさらに有する、請求項１に記載の物品。
【請求項８】
前記第３のコモノマー繰り返し単位がチオフェン部分を有する、請求項７に記載の物品。
【請求項９】
前記チオフェン部分が非置換であるか、またはヘキシルで置換されている、請求項８に記載の物品。
【請求項１０】
第１の電極と、
第２の電極と、
前記第１および第２の電極間に配置された光活性材料と、を有する物品であって、前記光活性材料が、第１のコモノマー繰り返し単位と、前記第１のコモノマー繰り返し単位とは異なる第２のコモノマー繰り返し単位とを含むポリマーを有し、
前記第１のコモノマー繰り返し単位が、下記式（１）
【化３】
2010507233.tif 000005
のシラシクロペンタジチオフェン部分を有し、
Ｒ１、Ｒ２、Ｒ３およびＲ４が各々個別にＨ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、ＲがＨ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルであり、
前記第２のコモノマー繰り返し単位が、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ’、Ｃ（Ｏ）Ｒ’、Ｃ（Ｏ）ＯＲ’もしくはＳＯ２Ｒ’で
置換されたチオフェン部分、または１，４−ジオキサン部分と縮合したチオフェン部分を有し、Ｒ’がＨ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルであり、
前記物品が光電池として構成されている、物品。
【請求項１１】
Ｒ１およびＲ２が各々個別にＣ１〜Ｃ２０アルキルである、請求項１０に記載の物品。
【請求項１２】
Ｒ１およびＲ２が各々ヘキシルである、請求項１１に記載の物品。
【請求項１３】
前記第２のコモノマー繰り返し単位が、Ｃ１〜Ｃ２０アルキルで置換されたチオフェン部分を有する、請求項１０に記載の物品。
【請求項１４】
前記第２のコモノマー繰り返し単位が、ヘキシルで置換されたチオフェン部分を有する、請求項１３に記載の物品。
【請求項１５】
第１の電極と、
第２の電極と、
前記第１および第２の電極間に配置された光活性材料と、を有する物品であって、前記光活性材料が、第１のコモノマー繰り返し単位と、前記第１のコモノマー繰り返し単位とは異なる第２のコモノマー繰り返し単位とを含むポリマーを有し、
前記第１のコモノマー繰り返し単位が、下記式（１）のシラシクロペンタジチオフェン部分を有し、
【化４】
2010507233.tif 000006
Ｒ１、Ｒ２、Ｒ３およびＲ４が各々個別にＨ、Ｃ１〜Ｃ２０アルキル、Ｃ１〜Ｃ２０アルコキシ、Ｃ３〜Ｃ２０シクロアルキル、Ｃ１〜Ｃ２０ヘテロシクロアルキル、アリール、ヘテロアリール、ハロ、ＣＮ、ＯＲ、Ｃ（Ｏ）Ｒ、Ｃ（Ｏ）ＯＲまたはＳＯ２Ｒであり、ＲがＨ、Ｃ１〜Ｃ２０アルキル、Ｃ１〜Ｃ２０アルコキシ、アリール、ヘテロアリール、Ｃ３〜Ｃ２０シクロアルキルまたはＣ１〜Ｃ２０ヘテロシクロアルキルであり、
前記第２のコモノマー繰り返し単位が、非置換チオフェン部分ではなく、
前記物品が光電池として構成されている、物品。